(57)【特許請求の範囲】
【請求項１】
農村体験への参加者の意識度を調査するために設定された複数の分野にわたる質問事項欄及び回答欄を有するアンケートと、前記参加者が農村体験の前後においてそれぞれ記載した前記アンケートの各分野毎の回答欄の各回答に対応する数値を入力する入力手段と、前記入力手段から入力された前記参加者の農村体験の前後における各分野毎の各回答に対応する数値を記憶する記憶手段と、前記記憶手段に記憶した数値から前記参加者の農村体験の前後における各分野毎の意識度の評価値を算出する評価値算出手段と、前記評価値算出手段が算出した評価値から前記参加者の農村体験の前後における各分野毎の意識度の評価用グラフを作成する評価用グラフ作成手段と、前記評価値算出手段が算出した各分野毎の評価値を高めるのに必要な農村体験の体験内容を予め各分野に分けて作成した体験内容テーブルから設定する体験内容設定手段と、前記体験内容設定手段が設定した各分野毎の体験内容の具体的な体験項目の説明情報及びこの説明情報で開示された体験項目の提供者への案内情報を予め作成した情報テーブルから設定する情報設定手段と、前記評価用グラフと前記体験内容とを関連付けて表示手段に表示させるとともに、表示された前記体験内容を前記参加者が選択した場合に前記説明情報を前記表示手段に表示させ、さらに、表示された前記説明情報を前記参加者が選択した場合に前記案内情報を前記表示手段に表示させて参加者を体験項目に誘導する体験誘導手段と、
を備えることを特徴とする農村体験への誘客システム。
【発明の詳細な説明】
【技術分野】
【０００１】
この発明は農村体験への誘客システムに係り、特に、農村体験への参加者の意識を視覚的に評価することができ、参加者をふさわしい体験内容に誘導することができる農村体験への誘客システムに関するものである。
【背景技術】
【０００２】
現在、都会に在住する人を対象に、身体や心の健康を回復する療法（セラピー）として、農村体験ツアーが行われている。セラピーとしての農村体験ツアーにおいては、農村体験への参加者に農作物の植え付けなどの農作業や村民とのふれあいを体験させる場を提供し、農村での生活を通じて身体や心の健康回復を図っている。
【０００３】
このような農村体験ツアーのシステムとしては、企画会社と農家とで行う農業体験ツアーの体験者の受け入れ契約と、企画会社と宿泊施設とで行う宿泊契約と、企画会社と旅行会社とで行う旅行契約と、インターネットを介して農業体験ツアーの体験者が農家や農作業、宿泊施設などを企画会社あるいは旅行会社に申し込むことができる農業体験ツアー情報とでシステムを構成し、農業体験を希望する者に、希望する時期、場所、農作物の種類、農家、宿泊施設、交通手段の選択が可能な体験者参加型のツアーを提供するものがある。（特開２００７−３４７８０号公報）
【先行技術文献】
【特許文献】
【０００４】
【特許文献１】特開２００７−３４７８０号公報
【発明の概要】
【発明が解決しようとする課題】
【０００５】
ところで、セラピーとてして実施される農村体験ツアーでは、農業体験ツアーに参加して体験を積むことで、参加者は農村での生活を通じて身体や心の健康回復が図られるとされている。
【０００６】
しかし、前記特許文献１に記載の農村体験ツアーのシステムでは、参加者が希望する農村体験の体験内容（時期、場所、農作物の種類など）を選択できるが、農村体験前に参加者がどのような体験内容を選択すれば身体や心の健康回復を図ることができるかを評価する手段がなかった。
また、前記特許文献１のシステムでは、農村体験の前後において参加者の意識がどのように変化したか、どのような身体的、心理的な効果（セラピー効果）が得られたかを評価する手段がなく、さらに、農村体験後において参加者が今後はどのように体験を選択すれば身体や心の健康回復をさらに図ることができるかを評価する手段がなかった。
このため、農村体験への参加者に適切な体験内容を勧めることができず、参加者をふさわしい体験内容に誘導することができなかった。
【０００７】
この発明は、農村体験前において身体や心の健康回復を図るための適切な体験内容を参加者に提案することができ、農村体験後において農村での生活を通じて身体や心の健康回復が図られたことを確認することができ、また、農村体験後において身体や心の健康回復をさらに図るための適切な体験内容を参加者に提案することができ、農村体験への参加者をふさわしい体験内容に誘導することができる農村体験への誘客システムを実現することを目的とする。
【課題を解決するための手段】
【０００８】
この発明は、農村体験への参加者の意識度を調査するために設定された複数の分野にわたる質問事項欄及び回答欄を有するアンケートと、前記参加者が農村体験の前後においてそれぞれ記載した前記アンケートの各分野毎の回答欄の各回答に対応する数値を入力する入力手段と、前記入力手段から入力された前記参加者の農村体験の前後における各分野毎の各回答に対応する数値を記憶する記憶手段と、前記記憶手段に記憶した数値から前記参加者の農村体験の前後における各分野毎の意識度の評価値を算出する評価値算出手段と、前記評価値算出手段が算出した評価値から前記参加者の農村体験の前後における各分野毎の意識度の評価用グラフを作成する評価用グラフ作成手段と、前記評価値算出手段が算出した各分野毎の評価値を高めるのに必要な農村体験の体験内容を予め各分野に分けて作成した体験内容テーブルから設定する体験内容設定手段と、前記体験内容設定手段が設定した各分野毎の体験内容の具体的な体験項目の説明情報及びこの説明情報で開示された体験項目の提供者への案内情報を予め作成した情報テーブルから設定する情報設定手段と、前記評価用グラフと前記体験内容とを関連付けて表示手段に表示させるとともに、表示された前記体験内容を前記参加者が選択した場合に前記説明情報を前記表示手段に表示させ、さらに、表示された前記説明情報を前記参加者が選択した場合に前記案内情報を前記表示手段に表示させて参加者を体験項目に誘導する体験誘導手段と、を備えることを特徴とする。
【発明の効果】
【０００９】
この発明の農村体験への誘客システムは、参加者が農村体験の前後において記載した各アンケートの回答に対応する数値を入力して記憶し、記憶した数値から参加者の農村体験の前後における意識度の評価値を算出して評価用グラフを作成し、評価値を高めるのに必要な農村体験の体験内容を設定し、体験内容の具体的な体験項目の説明情報及び体験項目の提供者への案内情報を設定し、参加者の農村体験の前後における意識度の評価用グラフと評価値を高めるのに必要な体験内容を関連付けて表示手段に表示させるので、評価用グラフを参照することによって、農村体験への参加者の意識を視覚的に評価することができ、農村での生活を通じての身体や心の健康回復が図られたことを確認することができるとともに、表示された体験内容を参加者が選択した場合に体験項目の説明情報を表示手段に表示させ、さらに、表示された説明情報を参加者が選択した場合に体験項目の提供者の案内情報を表示手段に表示させるので、農村体験の参加者に適切な体験項目を勧めることができる。
このため、この発明は、農村体験前の評価用グラフを参照することで、農村体験前において身体や心の健康回復を図るための適切な体験内容を参加者に提案することができ、農村体験前後の評価用グラフを比較参照することで、農村体験後において農村での生活を通じて身体や心の健康回復が図られたことを確認することができ、また、農村体験後において身体や心の健康回復をさらに図るための適切な体験項目を提案することができ、さらに、農村体験への参加者をふさわしい体験内容に誘導することができる。
【図面の簡単な説明】
【００１０】
【図１】図１は農村体験への誘客システムのブロック図である。（実施例）
【図２】図２は農村体験への誘客システムの行程図である。（実施例）
【図３】図３は質問事項欄と５段階評価の回答欄を有するアンケートの一部省略図である。（実施例）
【図４】図４は各分野毎の質問事項の設定を示す図である。（実施例）
【図５】図５は農村体験の前後における評価用グラフを示す図である。（実施例）
【図６】図６は農村体験の前における評価用カルテを示す図である。（実施例）
【図７】図７は農村体験の後における評価用カルテを示す図である。（実施例）
【発明を実施するための形態】
【００１１】
以下図面に基づいて、この発明の実施例を説明する。
【実施例】
【００１２】
図１〜図７は、この発明の実施例を示すものである。図１において、１は農村体験への誘客システムである。誘客システム１は、農村体験への参加者の身体や心の健康の度合い評価し、参加者をふさわしい体験内容に誘導するものである。誘客システム１は、アンケート２と、入力手段３と、記憶手段４と、評価値算出手段５と、評価用グラフ作成手段６と、体験内容設定手段７と、情報設定手段８と、体験誘導手段９と、表示手段１０とを備えている。
誘客システム１は、記憶手段４と、評価値算出手段５と、評価用グラフ作成手段６と、体験内容設定手段７と、情報設定手段８と、体験誘導手段９とを、システムを実行する制御手段１１として構成し、記憶手段４に数値テーブル１２を備え、体験内容設定手段７に体験内容テーブル１３を備え、情報設定手段８に情報テーブル１４を備えている。制御手段１１には、入力手段３と表示手段１０とを接続している。
【００１３】
前記アンケート２は、例えば、図３に示すように、農村体験への参加者の意識度を調査するために設定された、複数の質問事項欄２Ａ及び回答欄２Ｂを有している。質問事項欄２に記載される質問事項は、例えば、図４に示すように、「１．心理」、「２．体調」、「３．自然」、「４．食べ物」、「５．交流」、「６、暮らし」、の６分野にわたり、各分野において、一般分野、観点に基づいて設定している。
回答を記載する回答欄２Ｂには、図３に示すように、質問事項欄２Ａの各質問事項に対する回答が選択できるように設定している。回答欄２Ｂは、例えば、質問事項に同意する程度に応じて、強く同意する「５」から同意しない「１」まで、「５：特に」、「４：はい」、「３：普通」、「２：いいえ」、「１：最悪」、の５段階の評価点を設けている。
【００１４】
前記アンケート２による参加者の意識度の調査は、農村体験の前及び農村体験の後においてそれぞれ行われる。参加者は、農村体験の前後において、それぞれアンケート２の各分野の質問事項欄２Ａに記載された質問事項に対する回答を回答欄２Ｂに記入する。
参加者は、各質問事項に対して、同意する程度に応じて強く同意する「５」から強く同意しない「１」まで５段階で評価し、回答欄２Ｂの「５：特に」、「４：はい」、「３：普通」、「２：いいえ」、「１：最悪」、のいずれか１つの選択して丸印「○」、あるいはチェックマーク「レ」を記載する。
【００１５】
前記入力手段３では、参加者が農村体験の前後において回答した、それぞれのアンケート２の分野毎の質問事項に対する５段階評価の数値（１〜５）を入力する。前記記憶手段４は、入力手段３から入力された参加者の農村体験前後における数値を、数値テーブル１２に記憶する。数値テーブル１２には、参加者の農村体験の前後におけるアンケート２の、各分野毎に質問事項と回答の数値とを対応させて記憶する。
【００１６】
前記評価値算出手段５は、記憶手段４が数値テーブル１０に記憶した数値から参加者の農村体験前後における意識度の評価値を算出する。評価値は、参加者の「生き方の満足度合い」を表す値である。
評価値の算出は、各分野毎に質問事項に対するの回答の５段階評価のうち、同意する・同意しないのどちらでもない「３」の質問事項の数を除いて、回答の数値が強く同意するの「５」である質問事項の数と、回答の数値が同意するの「４」である質問事項の数とを合わせた値（同意した質問事項の数）を求め、回答の数値が同意しないの「２」である質問事項の数と、回答の数値が強く同意しないの「１」である質問事項の数とを合わせた値（同意しない質問事項の数）を求める。
次に、同意した質問事項の数から同意しない質問事項の数を引いて差を求め、求めた差を各分野毎に質問事項の総数で割って商を求め、求めた商を１０倍して得た積の小数第１位の数を四捨五入する。これにより、評価値算出手段５は、各分野毎に「１０」以下の整数の評価値を算出する。
【００１７】
例えば、「１．心理」分野において、質問事項の総数が「２１」であり、回答の数値が「５：特に」である質問事項の数が「１１」、回答の数値が「４：はい」である質問事項の数が「６」、回答の数値が「２：いいえ」である質問事項の数が「３」、回答の数値が「１：最悪」である質問事項の数が「１」の場合、
・１１＋６＝１７（同意した質問事項の数）
・３＋１＝４（同意しない質問事項の数）
・１７−４＝１３（差）
・１３／２１≒０．６１（商）
・０．６１＊１０＝６．１（積）
・６．１≒６（評価値）
、となる。
この評価値は、参加者の農村体験の前と農村体験の後とのそれぞれを算出する。
【００１８】
前記評価用グラフ作成手段６は、評価値算出手段５が算出した評価値から、参加者の農村体験の前後における意識度の評価用グラフＧ１・Ｇ２を作成する。評価用グラフＧ１・Ｇ２は、例えば、図５に示すように、６つの分野をそれぞれ軸にとり、各軸の原点を１つにまとめて放射線状に配置したレーダーチャートとする。
破線で示す農村体験前の評価用グラフＧ１は、評価値を、「１．心理」：３、「２．体調」：３、「３．自然」：５、「４．食べ物」：４、「５．交流」：７、「６、暮らし」：６、として作成している。実線で示す農村体験後の評価用グラフＧ２は、評価値を、「１．心理」：６、「２．体調」：５、「３．自然」：７、「４．食べ物」：６、「５．交流」：７、「６、暮らし」：７、として作成している。
【００１９】
前記体験内容設定手段７は、評価値算出手段５が算出した評価値を高めるのに必要な農村体験の体験内容Ｅを、予め作成した体験内容テーブル１３から設定する。体験内容テーブル１３には、体験内容Ｅを６つの分野に分けてそれぞれ設定している。
例えば、図５に示すように、体験内容Ｅは、「１．心理」分野では農村体験、自然体験を設定し、「２．体調」分野では農村体験、自然体験、農作業体験を設定し、「３．自然」分野では農村体験、収穫体験、自然体験、農作業体験を設定し、「４．食べ物」分野では農村体験、収穫体験、料理体験、農作業体験を設定し、「５．交流」分野では農村体験、行事体験、料理体験を設定し、「６、暮らし」分野では農村体験、行事体験を設定している。
【００２０】
前記情報設定手段８は、体験内容設定定段７が設定した体験内容Ｅの具体的な体験項目の説明情報Ｊ１及びこの説明情報Ｊ１で開示された体験項目の提供者への案内情報Ｊ２を、予め作成した情報テーブル１４から設定する。
情報テーブル１４には、例えば、図５に示すように、具体的な体験項目の説明情報Ｊ１として、「４．食べ物」分野の料理体験では蕎麦打ち体験、山菜料理体験……のように、体験項目の説明を設定している。
また、情報テーブル１４には、体験内容の提供者への案内情報Ｊ２として、例えば、「４．食べ物」分野の料理体験では蕎麦打ち体験を提供する者の名称（ＡＡ団体）や連絡先（○○…）、山菜料理体験を提供する者の名称（ＢＢ団体）や連絡先（○○…）、……のように、ある体験項目とこの体験項目の提供者の名称（あるいは、氏名）や連絡先等とを関連付けて設定している。
【００２１】
前記体験誘導手段９は、評価用グラフ作成手段６が作成した参加者の農村体験の前における評価用グラフＧ１と、評価用グラフ作成手段６が作成した参加者の農村体験の後における評価用グラフＧ２と、体験内容設定手段７が設定した評価値を高めるのに必要な農村体験の体験内容Ｅと、を表示手段１０に表示させる。
【００２２】
また、前記体験誘導手段９は、前記のように評価用グラフＧ１・Ｇ２と体験内容Ｅとを表示手段１０に表示させるともに、表示された体験内容Ｅのいずれか１つを参加者が選択した場合にこの体験内容に含まれる１以上の体験項目の説明情報Ｊ１を表示手段１０に表示させ、さらに、表示された説明情報Ｊ１に含まれる体験項目のいずれか１つを参加者が選択した場合にその選択された体験項目の提供者についての案内情報Ｊ２を表示手段１０に表示させる。
【００２３】
次に、農村体験への誘客システム１について、農村体験の前における作用を図２にしたがって説明する。
【００２４】
農村体験への誘客システム１は、参加者に農村体験の前においてアンケート２の各分野の質問事項欄２Ａに記載された質問事項に対して回答を回答欄２Ｂに記載させ（１０１）、参加者が記載した農村体験前のアンケート２の分野毎の質問事項に対する回答の数値を入力手段３で入力し（１０２）、入力された参加者の農村体験前の数値を記憶手段４の数値テーブル１２に記憶する（１０３）。
【００２５】
記憶手段４が数値テーブル１２に記憶（１０３）した数値からは、評価値算出手段５によって参加者の農村体験前の意識度の評価値を算出する（１０４）。評価値算出手段５が算出（１０４）した評価値からは、参加者の農村体験前の意識度の評価用グラフＧ１を評価用グラフ作成手段６によって作成し（１０５）、評価値を高めるのに必要な農村体験の体験内容Ｅを体験内容設定定段７により体験内容テーブル１３から設定する（１０６）。
【００２６】
また、体験内容Ｅの具体的な体験項目の説明情報Ｊ１及びこの説明情報Ｊ１で開示された体験項目の提供者への案内情報Ｊ２を、情報設定手段８により情報テーブル１４から設定する（１０７）。作成した農村体験前の評価用グラフＧ１及び評価値を高めるのに必要な農村体験の体験内容Ｅを体験誘導手段９によって表示手段８に表示させることで（１０８）、参加者の農村体験前の意識度の評価を行うことができる。
【００２７】
農村体験前の評価においては、評価用グラフＧ１を参照すると、「１．心理」：３、「２．体調」：３、「３．自然」：５、「４．食べ物」：４、「５．交流」：７、「６、暮らし」：６、の評価値となっている。これより、参加者の意識度は、農村体験の前において、「１．心理」、「２．体調」の各分野の値が、「３．自然」、「４．食べ物」、「５．交流」、「６、暮らし」の各分野の値に比べて低いことがわかる。
【００２８】
これにより、農村体験への参加者の意識を視覚的に評価することができ、図６に示すようなセラピー・カルテを作成して農村体験前の参加者に「１．心理」、「２．体調」の各分野の値が低いことを提示し、回復を図るために、「１．心理」及び「２．体調」の各分野の農村体験、自然体験、農作業体験に参加することを提案することができる。このため、農村体験前の評価用グラフＧ１を参照することで、農村体験前において身体や心の健康回復を図るための適切な体験内容Ｅを参加者に提案することができる。
【００２９】
前記評価用グラフＧ１及び体験内容Ｅの表示（１０８）に続いて、表示された体験内容Ｅのいずれか１つを参加者が選択（ポイント）した場合にこの体験内容に含まれる体験項目の説明情報Ｊ１を体験誘導手段９によって表示手段１０に表示させ（１０９）、さらに、表示された説明情報Ｊ１の体験項目のいずれか１つを参加者が選択（クリック）した場合にその体験項目の提供者の案内情報Ｊ２を体験誘導手段９によって表示手段１０に表示させることで（１１０）、農村体験への参加者に適切な体験項目を提示することができる。これにより、農村体験への参加者をふさわしい体験内容に誘導することができる。
【００３０】
次に、農村体験への誘客システム１について、農村体験の後における作用を説明する。なお、農村体験後における作用は、農村体験前と同様な処理を行うので、図２を用いて説明する。
【００３１】
農村体験への誘客システム１は、参加者に農村体験の後においてアンケート２の各分野の質問事項欄２Ａに記載された質問事項に対して回答を回答欄２Ｂに記載させ（１０１）、参加者が記載した農村体験後のアンケート２の分野毎の質問事項に対する回答の数値を入力手段３で入力し（１０２）、入力された参加者の農村体験前の数値を記憶手段４の数値テーブル１２に記憶する（１０３）。
【００３２】
記憶手段４が数値テーブル１２に記憶（１０３）した数値からは、評価値算出手段５によって参加者の農村体験後の意識度の評価値を算出する（１０４）。評価値算出手段５が算出（１０４）した評価値からは、参加者の農村体験後の意識度の評価用グラフＧ２を評価用グラフ作成手段６によって作成し（１０５）、評価値を高めるのに必要な農村体験の体験内容Ｅを体験内容設定定段７により体験内容テーブル１３から設定する（１０６）。
【００３３】
また、体験内容Ｅの具体的な体験項目の説明情報Ｊ１及びこの説明情報Ｊ１で開示された体験項目の提供者への案内情報Ｊ２を、情報設定手段８により情報テーブル１４から設定する（１０７）。作成した農村体験後の評価用グラフＧ２及び評価値を高めるのに必要な農村体験の体験内容Ｅを体験誘導手段９によって表示手段８に表示させることで（１０８）、参加者の農村体験後の意識度の評価を行うことができる。なお、表示手段１０には、農業体験前の評価用グラフＧ１に併せて、農業体験後の評価用グラフＧ２を表示する。
【００３４】
農村体験後の評価においては、評価用グラフ１２を参照すると、「１．心理」：６、「２．体調」：５、「３．自然」：７、「４．食べ物」：６、「５．交流」：７、「６、暮らし」：７、の評価値となっている。これより、農村体験後の参加者の意識度は、農村体験前の評価用グラフＧ２の値と比較して、「５．交流」を除いて、「１．心理」、「２．体調」、「３．自然」、「４．食べ物」、「６、暮らし」の各分野の値、特に「１．心理」、「２．体調」の値が高くなっていることがわかる。
【００３５】
農村体験前の値に対して、農村体験後の値が大きい側（「１０」の側）に変化している場合、農村体験によって参加者の各質問事項に対する意識が同意する側に変化しており、参加者の意識が高められたことを示している。
【００３６】
これは、農村体験によって、
（１）．農作業などの肉体を使う運動が心理的、生理的に参加者の快適状態を生じさせていることを、参加者は最も強く感じている。
（２）．農作物が作られる過程に対して関心が高まり、自然の姿の正しい認識とされに対する意識が高められる。
（３）．人と人、人とものとのつながりや関係性が生きることの基本であり、生き甲斐につながることを理解できる。
との意識と認識に関する事柄を参加者が得たからである。
【００３７】
これより、農村体験前の評価用グラフＧ１の各分野の値に対して、農村体験後の評価用グラフＧ２の対応する各分野の値が大きいほど（「１０」に近づくほど）、農村体験への参加者の意識の向上や心理的な効果（セラピー効果）が得られた、と評価することができる。このため、農村体験前後の評価用グラフＧ１、Ｇ２を比較参照することで、農村での生活を通じての身体や心の健康回復が図られたことを確認することができる。
【００３８】
また、農村体験後の参加者の評価において、農村体験前の評価用グラフＧ１の値に対して、農村体験後の評価用グラフＧ２の値が大きい側に変化していない分野がある場合、その分野の質問事項の数値を参照することで、参加者の健康回復に必要な体験内容Ｅを提示することができる。
すなわち、図５に示す農村体験前後の評価用グラフＧ１、Ｇ２から、図７に示すようなセラピー・カルテを作成して農村体験後の参加者に「２．体調」、「４．食べ物」の各分野の値の改善が望まれることを提示し、回復を図るために、「２．体調」、「４．食べ物」の各分野の農村体験、自然体験、収穫体験、料理体験などに参加することを提案することができる。これにより、農村体験の後において身体や心の健康回復をさらに図るための適切な体験内容を参加者に提案することができる。
【００３９】
前記評価用グラフＧ２及び体験内容Ｅの表示（１０８）に続いて、表示された体験内容Ｅのいずれか１つを参加者が選択（ポイント）した場合にこの体験内容に含まれる体験項目の説明情報Ｊ１を体験誘導手段９によって表示手段１０に表示させ（１０９）、さらに、表示された説明情報Ｊ１の体験項目のひとつを参加者が選択（クリック）した場合に体験項目の提供者の案内情報Ｊ２を体験誘導手段９によって表示手段１０に表示させることで（１１０）、農村体験への参加者に適切な体験項目を提示することができる。これにより、農村体験への参加者をふさわしい体験内容に誘導することができる。
【００４０】
このように、農村体験への誘客システム１は、参加者が農村体験前後において記載したアンケート２の各回答に対応する数値を入力して記憶し、記憶した数値から参加者の農村体験の前後における意識度の評価値を算出して評価用グラフＧ１・Ｇ２を作成し、評価値を高めるのに必要な農村体験の体験内容を設定し、体験内容の具体的な体験項目の説明情報及び体験項目の提供者への案内情報を設定している。
そして、誘客システム１は、参加者の農村体験の前後における意識度の評価用グラフと評価値を高めるのに必要な体験内容を関連付けて表示手段１０に表示させるので、評価用グラフＧ１・Ｇ２を参照することによって、農村体験への参加者の意識を視覚的に評価することができ、農村での生活を通じての身体や心の健康回復が図られたことを確認することができるとともに、表示された体験内容Ｅを参加者が選択した場合に体験項目の説明情報Ｊ１を表示手段１０に表示させ、さらに、表示された説明情報Ｊ１を参加者が選択した場合にその体験項目の提供者の案内情報Ｊ２を表示手段１０に表示させるので、農村体験の参加者に適切な体験項目を勧めることができる。
【００４１】
このため、この誘客システム１は、農村体験前の評価用グラフＧ１を参照することで、農村体験前において身体や心の健康回復を図るための適切な体験内容を参加者に提案することができ、農村体験前後の評価用グラフＣ１・Ｇ２を比較参照することで、農村体験後において農村での生活を通じて身体や心の健康回復が図られたことを確認することができ、また、農村体験後において身体や心の健康回復をさらに図るための適切な体験項目を提案することができ、さらに、農村体験への参加者をふさわしい体験内容に誘導することができる。
【００４２】
なお、上述実施例では、強く同意する「５」から強く同意しない「１」までの５段階の評価点を設けたアンケートによって参加者の農村体験前後における意識度を調査して比較したが、農村体験前の意識度の調査を５段階の評価点を設けたアンケートにより行い、農村体験後の意識度の調査を強く同意する「５：特に」の上にさらに強く同意する評価点の「６：非常に」を設けた６段階のアンケートにより行うこともできる。これは、農村体験前の評価において強く同意する「５：特に」を選択した参加者の意識度が、農村体験後においてより高まることがあるためであり、さらに強く同意するとの評価をした場合の評価点である。
このように、農村体験前の調査を５段階の評価点を設けたアンケートにより行い、農村体験後の調査を６段階の評価点を設けたアンケートにより行い、これらの評価値から作成した農村体験前後の評価用グラフを参照することによって、農村体験後の参加者の意識度がさらに高まったことを視覚的に評価でき、農村での生活を通じての身体や心の健康回復がさらに図られたことを確認することができる。
【産業上の利用可能性】
【００４３】
この発明は、農村体験への参加者の意識がどのように変化したか、どのような心理的な効果が得られたかを視覚的に評価することができ、農村体験への参加者をふさわしい体験内容に誘導することができるものであり、農村体験かぎらず、他の分野に関わる体験内容への参加者の誘導にも適用することができる。
【符号の説明】
【００４４】
１  農村体験への誘客システム
２  アンケート
３  入力手段
４  記憶手段
５  評価値算出手段
６  評価用グラフ作成手段
７  体験内容設定手段
８  情報設定手段
９  体験誘導手段
１０  表示手段
１１  制御手段
１２  数値テーブル
１３  体験内容テーブル
１４  情報テーブル
Ｇ１  体験前の評価用グラフ
Ｇ２  体験後の評価用グラフ
【図１】
0005317369.tif 000002
【図２】
0005317369.tif 000003
【図３】
0005317369.tif 000004
【図４】
0005317369.tif 000005
【図５】
0005317369.tif 000006
【図６】
0005317369.tif 000007
【図７】
0005317369.tif 000008